(57)【要約】【課題】  本発明の目的は、光ピックアップ装置に備えられる多分割回折格子の位置決め調整を効率的に、かつ、精度良く行うことができる光ピックアップ装置の調整方法およびその方法により製造される光ピックアップ装置を提供することである。【解決手段】  多分割回折格子には、予め定める位置にマーキングが形成され、そのマーキングを撮像装置によって撮像した撮像画像が、画像表示装置の画像表示面に表示される。したがって、画像表示面に表示されるマーキング像を目視しながら、多分割回折格子の回転調整および平面位置調整をすることができる。【選択図】      図１
2009187599.tif 000002
【特許請求の範囲】
【請求項１】
光源から出射される光束を少なくとも０次回折光、＋１次回折光および−１次回折光に回折し、かつ、複数の領域に分割され、隣接する各領域における格子溝の周期構造の位相が互いに異なる格子溝パターンを有する多分割回折格子を位置決め調整する光ピックアップ装置の調整方法であって、
多分割回折格子に予め定める位置にマーキングを形成する工程と、
少なくとも前記マーキングを撮像装置によって撮像する工程と、
前記撮像装置によって撮像された撮像画像を、画像表示装置の画像表示面に基準位置とともに表示する工程と、
前記画像表示面に表示された撮像画像におけるマーキングを基準位置に対して一致するように、多分割回折格子を位置調整する工程とを含むことを特徴とする光ピックアップ装置の調整方法。
【請求項２】
前記マーキングは、格子溝パターンが形成される領域において、格子溝を形成しないことによって形成されることを特徴とする請求項１記載の光ピックアップ装置の調整方法。
【請求項３】
前記マーキングは、格子溝が延びる方向に略直交する方向に沿って、格子溝パターンが形成される領域の周縁部に複数形成されることを特徴とする請求項１または２記載の光ピックアップ装置の調整方法。
【請求項４】
光源から出射される光束を少なくとも０次回折光、＋１次回折光および−１次回折光に回折し、かつ、複数の領域に分割され、隣接する各領域における格子溝の周期構造の位相が互いに異なる多分割回折格子を備える光ピックアップ装置であって、
多分割回折格子に予め定める位置にマーキングを形成し、
少なくとも前記マーキングを撮像装置によって撮像し、
前記撮像装置によって撮像された撮像画像を、画像表示装置の画像表示面に基準位置とともに表示し、
前記画像表示面に表示された撮像画像におけるマーキングを基準位置に対して一致するように、多分割回折格子を位置調整することによって製造されることを特徴とする光ピックアップ装置。
【発明の詳細な説明】
【技術分野】
【０００１】
本発明は、光ピックアップ装置に備えられる多分割回折格子の位置決め調整を効率的に、かつ、精度良く行う光ピックアップ装置の調整方法およびその方法により製造された光ピックアップ装置に関する。
【背景技術】
【０００２】
コンパクトディスク（ＣＤ）、デジタルバーサタイルディスク（ＤＶＤ）およびミニディスク（ＭＤ）などの光ディスクが、オーディオビデオおよびコンピュータなどの多くの分野において光記録媒体として利用されている。
【０００３】
情報記録再生装置には、光記録媒体に情報を記録し、または既に記録された情報を再生する機能を有する光ピックアップ装置が搭載され、この光ピックアップ装置は、光記録媒体の情報記録面に形成されるトラック上に光スポットを集光することによって、情報の記録または再生を行う。
【０００４】
光ピックアップ装置は、所定のトラック上に正確に集光スポットを追従させて照射するために、トラッキング誤差信号を生成し、光スポットを集光する対物レンズを光記録媒体の半径方向に沿って駆動させるアクチュエータに対してその信号をフィードバックさせて、対物レンズの位置を制御する構成になっている。このような制御をトラッキング制御という。このトラッキング誤差信号の生成方法の１つとして、ディファレンシャル・プッシュ・プル（ＤＰＰ）法が知られている。
【０００５】
ここでＤＰＰ法を用いてトラッキング誤差信号を生成する原理について簡単に説明する。図１１は、ＤＰＰ法を用いる光ピックアップ装置１の構成を簡略化して示す系統図である。光源である半導体レーザ１１から出射した光束は、回折格子１２に入射する。この回折格子１２は、一定の周期で等間隔に直線状の格子溝が形成される平面格子であり、回折格子１２に入射した光束を、少なくとも０次回折光を構成するメインビーム（ＭＢ）、＋１次回折光を構成する第１サブビーム（ＳＢ１）および−１次回折光を構成する第２サブビーム（ＳＢ２）に回折する。そしてＭＢ，ＳＢ１およびＳＢ２は、ビームスプリッタ１３を透過し、コリメータレンズ１４に入射して略平行光に変換された後、対物レンズ１５に入射し、集光されて光記録媒体３に形成されるトラック上に照射される。この時、ＭＢの光スポットが所定のトラック上に照射されるのに対し、ＳＢ１およびＳＢ２の光スポットは、光記録媒体３の半径方向に沿ってトラックピッチの２分の１だけ間隔をあけて照射される。光記録媒体３に照射された各光束は、情報記録面で反射されて、再び対物レンズ１５およびコリメータレンズ１４を透過した後、ビームスプリッタ１３によって反射され、シリンドリカルレンズ１６によって非点収差を与えられて、それぞれ異なる光検出器１７に受光される。各光検出器１７では、ＭＢ，ＳＢ１およびＳＢ２に対するプッシュプル信号（ＭＰＰ，ＳＰＰ１，ＳＰＰ２）が検出され、これらの信号に基づいてトラッキング誤差信号が生成される。
【０００６】
このとき各光スポットがトラックピッチの２分の１だけ間隔をあけて照射されているので、ＭＰＰの位相に対して、ＳＰＰ１およびＳＰＰ２の位相は略１８０度ずれて検出される。これにより、対物レンズ１５の変位に伴ってプッシュプル信号に発生するオフセット成分が低減されたトラッキング誤差信号を生成することができる。
【０００７】
この従来のＤＰＰ法に対し、同一のトラック上にＭＢ，ＳＢ１およびＳＢ２を照射してトラッキング誤差信号を生成する方法が提案されており、このような方法をインラインＤＰＰ法という。このインラインＤＰＰ法を用いた光ピックアップ装置は、図１１に示す光ピックアップ装置１の回折格子１２と同様の位置に、複数の領域に分割され、隣接する各領域における格子溝の周期構造の位相が互いに異なる格子溝パターンを有する多分割回折格子を配置することによって実現される。このインラインＤＰＰ法を用いた光ピックアップ装置は、同一のトラック上に各光束を照射することができるので、１台の光ピックアップ装置で、異なるトラックピッチを有する光記録媒体に対して情報の記録または再生を行うことができる（たとえば、特許文献１参照）。
【０００８】
たとえば図１２に示すような多分割回折格子１２ａを用いる場合を考える。多分割回折格子１２ａは、半導体レーザ１１から出射される光束を、少なくともＭＢ，ＳＢ１およびＳＢ２に回折するように、複数の格子溝が周期的に形成される平面格子であり、さらに、格子溝が延びる方向に直交する方向に延びる分割線によって、格子溝の延びる方向に沿って順に第１領域３１ａ，第２領域３１ｂおよび第３領域３１ｃの３つの領域に分割される。隣接する各領域は、互いに格子溝の位相が異なる周期構造を有しており、第３領域３１ｃは第１領域３１ａに対して位相差αを与えるように形成され、第２領域３１ｂは第１領域３１ａの周期構造の位相から第３領域３１ｃの周期構造の位相に連続的に変化するように形成される。
【０００９】
このような多分割回折格子１２ａによって回折されたＳＢ１，ＳＢ２はそれぞれ、多分割回折格子１２ａの３つの領域に対応して、互いに位相の異なる３つの光束によって構成される。このことにより、ＳＢ１およびＳＢ２をＭＢと同一のトラック上に照射することを可能にしている。
【００１０】
しかし、光ピックアップ装置では、前述するようにトラッキング制御が行われる。すなわち、対物レンズ１５が光記録媒体３の半径方向に沿って変位する。多分割回折格子１２ａを用いる場合、コリメータレンズ１４の有効径内を透過して略平行光に変換されたＳＢ１，ＳＢ２はそれぞれ、前述するようにその断面において、互いに位相の異なる３つの光束によって構成される。対物レンズ１５はその断面内を変位するので、対物レンズ１５の有効径内を透過する光束は互いに位相の異なる３つの光束によって構成されるだけでなく、対物レンズ１５の変位に伴って、３つの光束が占める比率が変化する。この比率の変化によって、トラッキング誤差信号の信号振幅に影響が与えられる。信号振幅が低下した場合には、良好なトラッキング誤差信号が得られず、したがって、対物レンズ１５の制御を安定して行うことができなくなってしまうという課題がある。
【００１１】
この課題を解決するためには、対物レンズの変位に伴う前記比率の変化が小さくなるように多分割回折格子１２ａを位置決めしなければならない。また同時に、ＭＢ，ＳＢ１およびＳＢ２を同一のトラック上に照射するために、光記録媒体３のトラック方向に沿って格子溝の周期構造が形成されるように多分割回折格子１２ａを位置決めしなければならない。
【００１２】
図１２には、多分割回折格子１２ａの格子面を含む仮想一平面において、コリメータレンズ有効領域３３内における対物レンズ有効領域３４が示されており、対物レンズ１５が中立位置にあるときの対物レンズ有効領域３４が実線で示されるのに対し、最大変位時の対物レンズ有効領域３４ａ，３４ｂが破線で示されている。
【００１３】
ここで、対物レンズ有効領域３４およびコリメータレンズ有効領域３３とは、多分割回折格子１２ａの格子面を含む仮想一平面において、それぞれのレンズの有効径内を透過する光束に対応する光束が透過する領域を表すものとする。また、中立位置とは、半導体レーザ１１から出射される光束の軸１８（以下、この軸を光軸１８と称する）と対物レンズ１５の中心軸とが一致する位置を表すものとする。
【００１４】
多分割回折格子１２ａの格子面を含む仮想一平面において、対物レンズ有効領域３４と多分割回折格子１２ｂの格子溝パターンとが図１２に示されるような関係にあるとき、すなわち、中立位置の対物レンズ有効領域３４の中心と第２領域３１ｂの中心が一致し、格子溝の延びる方向と対物レンズ有効領域が変位する方向とが一致する関係にあるとき、前述するように精度良く多分割回折格子１２ａが位置決めされた状態を実現することができる。
【００１５】
従来の多分割回折格子１２ａの位置決め調整方法では、先ず対物レンズ１５が中立位置に位置している状態で、格子面を含む仮想一平面内において多分割回折格子１２ａを回転して、このときのトラッキング誤差信号の変化を監視しながら、ＳＢ１およびＳＢ２が所望の位置に照射されるように回転調整を行った後に、さらに、対物レンズ１５を中立位置から内周方向および外周方向に変位させて、このときのトラッキング誤差信号の変化を監視ながら、トラッキング誤差信号の変化が中立位置の信号に対して対称となるように、多分割回折格子１２ａを光記録媒体３の半径方向およびトラック方向に移動させて平面位置調整を行っていた。
【００１６】
前述する従来の位置決め調整方法では、多分割回折格子の格子溝パターンを直接監視することなく、トラッキング誤差信号のみを監視することによって位置決め調整が行われるため、調整の工程が複雑であり、したがって、調整に要する時間も長くなってしまい非効率的である。これによって、光ピックアップ装置の生産効率が低下するという問題がある。さらには、多分割回折格子の位置決め調整の精度が悪い光ピックアップ装置が製造されるという問題がある。
【００１７】
【特許文献１】特開２００４−１４５９１５号公報
【発明の開示】
【発明が解決しようとする課題】
【００１８】
本発明の目的は、光ピックアップ装置に備えられる多分割回折格子の位置決め調整を効率的に、かつ、精度良く行うことができる光ピックアップ装置の調整方法およびその方法により製造される光ピックアップ装置を提供することである。
【課題を解決するための手段】
【００１９】
本発明は、光源から出射される光束を少なくとも０次回折光、＋１次回折光および−１次回折光に回折し、かつ、複数の領域に分割され、隣接する各領域における格子溝の周期構造の位相が互いに異なる格子溝パターンを有する多分割回折格子を位置決め調整する光ピックアップ装置の調整方法であって、
多分割回折格子に予め定める位置にマーキングを形成する工程と、
少なくとも前記マーキングを撮像装置によって撮像する工程と、
前記撮像装置によって撮像された撮像画像を、画像表示装置の画像表示面に基準位置とともに表示する工程と、
前記画像表示面に表示された撮像画像におけるマーキングを基準位置に対して一致するように、多分割回折格子を位置調整する工程とを含むことを特徴とする光ピックアップ装置の調整方法である。
【００２０】
本発明に従えば、多分割回折格子には、予め定める位置にマーキングが形成され、少なくともそのマーキングを撮像装置によって撮像した撮像画像が、画像表示装置の画像表示面に基準位置とともに表示される。したがって、画像表示面に表示される撮像画像におけるマーキングを基準位置に対して一致するように、多分割回折格子の位置調整をすることができる。
【００２１】
また本発明は、前記マーキングは、格子溝パターンが形成される領域において、格子溝を形成しないことによって形成されることを特徴とする。
【００２２】
本発明に従えば、格子溝パターンが形成される領域において、格子溝を形成しないことによってマーキングを形成することができる。したがって、多分割回折格子に格子溝パターンを形成する際に同時にマーキングを形成することができる。
【００２３】
また本発明は、前記マーキングは、格子溝が延びる方向に略直交する方向に沿って、格子溝パターンが形成される領域の周縁部に複数形成されることを特徴とする。
【００２４】
本発明に従えば、格子溝が延びる方向に略直交する方向に沿って、格子溝パターンが形成される領域の周縁部にマーキングが複数形成される。したがって、多分割回折格子を精度良く位置決め調整することができる。
【００２５】
また本発明は、光源から出射される光束を少なくとも０次回折光、＋１次回折光および−１次回折光に回折し、かつ、複数の領域に分割され、隣接する各領域における格子溝の周期構造の位相が互いに異なる多分割回折格子を備える光ピックアップ装置であって、
多分割回折格子に予め定める位置にマーキングを形成し、
少なくとも前記マーキングを撮像装置によって撮像し、
前記撮像装置によって撮像された撮像画像を、画像表示装置の画像表示面に基準位置とともに表示し、
前記画像表示面に表示された撮像画像におけるマーキングを基準位置に対して一致するように、多分割回折格子を位置調整することによって製造されることを特徴とする光ピックアップ装置である。
【００２６】
本発明に従えば、多分割回折格子を備える光ピックアップ装置は、少なくとも多分割回折格子に形成されたマーキングが撮像装置によって撮像され、画像表示面に表示された撮像画像におけるマーキングを画像表示面に表示された基準位置に対して一致するように、多分割回折格子を位置調整することによって製造される。したがって、多分割回折格子が精度良く位置決めされて配置された光ピックアップ装置を提供することができる。
【発明の効果】
【００２７】
本発明によれば、画像表示装置の画像表示面に表示された撮像画像におけるマーキングを画像表示面に表示された基準位置に対して一致するように、多分割回折格子の位置決め調整を行うことができるので、調整が容易であり、調整に要する時間を短縮することができるため、光ピックアップ装置の生産効率を向上することができるとともに、精度良く多分割回折格子の位置決め調整をすることができる。
【００２８】
また本発明によれば、格子溝パターンを形成する際にマーキングを設けるべき位置に格子溝を設けないことによってマーキングを形成することができるので、マーキングを形成するための新たな工程を必要とせず、効率的にマーキングを形成することができる。さらに、格子溝パターンとマーキングを一工程で形成することができ、精度良くマーキングを形成することができる。
【００２９】
また本発明によれば、格子溝が延びる方向に略直交する方向に沿って、格子溝パターンが形成される領域の周縁部にマーキングが複数形成されるので、多分割回折格子を精度良く位置決め調整することができる。
【００３０】
また本発明によれば、光ピックアップ装置に備えられる多分割回折格子は、画像表示装置の画像表示面に表示された撮像画像におけるマーキングを画像表示面に表示された基準位置に対して一致するように、位置決め調整が行われるので、多分割回折格子が精度良く位置決めされた光ピックアップ装置を提供することができる。
【発明を実施するための最良の形態】
【００３１】
図１は、本発明の実施の形態の多分割回折格子１２ｂの位置決め調整装置２および光ピックアップ装置１ｂの一部の構成を簡略化して示す系統図であり、この位置決め調整装置２によって光ピックアップの調整方法が実施される。光ピックアップ装置１ｂは、図１１に示される光ピックアップ装置１において回折格子１２と同様の位置に多分割回折格子１２ｂが配置されるほかは、光ピックアップ装置１と略同一に構成される。
【００３２】
光ピックアップ装置１ｂの一部は、光源である半導体レーザ１１と、多分割回折格子１２ｂと、ビームスプリッタ１３と、コリメータレンズ１４とを含む。また、位置決め調整装置２は、撮像装置であるＣＣＤ（Charge Coupled Device）カメラ２１と、撮像画像を表示するための画像表示装置であるモニタ２２とを含む。
【００３３】
従来の多分割回折格子１２ａの位置決め調整方法では、光検出器１７によって検出されるプッシュプル信号（ＭＰＰ，ＳＰＰ１，ＳＰＰ２）に基づいて位置決め調整を行うため、光ピックアップ装置１の構成部品が組み立てられた状態で位置決め調整が行われていた。これに対して、本発明においては、多分割回折格子１２ｂの格子溝パターンをＣＣＤカメラ２１で撮像することによって、多分割回折格子１２ｂの位置決め調整が行われる。このため、図１に示すように、対物レンズ１５が配置される前に、多分割回折格子１２ｂの位置決め調整が行われる。
【００３４】
ここで、光ピックアップ装置１ｂに対し、３次元座標を構成するＸ，ＹおよびＺ軸の方向を定義する。半導体レーザ１１から出射する光束の光軸１８方向をＺ軸とし、光記録媒体３の半径方向をＸ軸とする。ＸおよびＺ軸の両軸に対して直交する方向をＹ軸とする。すなわちＹ方向は、光記録媒体３のトラック方向に一致する。
【００３５】
図２は、本発明の実施の形態に係る多分割回折格子１２ｂの構成を簡略化して示す概略図である。多分割回折格子１２ｂは、半導体レーザ１１から出射される光束を、少なくとも０次回折光を構成するメインビーム（ＭＢ）、＋１次回折光を構成する第１サブビーム（ＳＢ１）および−１次回折光を構成する第２サブビーム（ＳＢ２）に回折するように、複数の格子溝が周期的に形成される矩形状の平面格子である。格子溝が形成される間隔は、たとえば１０μｍ〜５０μｍである。
【００３６】
また、多分割回折格子１２ｂは、格子溝が延びる方向に直交する方向に延びる分割線によって、格子溝の延びる方向に沿って順に第１領域３１ａ，第２領域３１ｂおよび第３領域３１ｃの３つの領域に分割される。隣接する各領域は、互いに格子溝の位相が異なる周期構造を有する。本実施の形態では、第３領域３１ｃは第１領域３１ａに対して位相差αを与えるように形成され、第２領域３１ｂは第１領域３１ａの周期構造の位相から第３領域３１ｃの周期構造の位相に連続的に変化するように形成される。格子溝が延びる方向の各領域の幅は、たとえば０．０５ｍｍ〜１ｍｍである。
【００３７】
さらに、多分割回折格子１２ｂには、複数（本実施の形態では２）のマーキング３２が形成される。各マーキング３２は、格子溝が延びる方向に直交する方向に延びる仮想線３５に沿うように、互いに平行な辺から内方に複数の溝にわたって長さＬ４を有してそれぞれ形成される。このようなマーキング３２は、たとえば長さＬ４が０．２ｍｍであり、格子溝が延びる方向の幅が５０μｍである矩形状である。また、仮想線３５は、第２領域３１ｂの中央を通る位置に、すなわち第２領域３１ｂを等分割する位置に決定されている。
【００３８】
ここで、多分割回折格子１２ｂにおいてマーキング３２が形成される領域について説明する。マーキングを形成すべき位置および大きさは、多分割回折格子１２ｂが配置されるべきＺ方向の位置に配置されたときの多分割回折格子１２ｂの格子面を含む仮想一平面におけるコリメータレンズ有効領域および対物レンズ有効領域が変位する範囲に基づいて適切に決定される。
【００３９】
ここで、光ピックアップ装置１ｂにおいて、半導体レーザ１１、コリメータレンズ１４および対物レンズ１５が配置される位置は予め定められており、さらに、多分割回折格子１２ｂが配置されるべきＺ方向の位置も予め定められている。したがって、これらの予め定められる位置、コリメータレンズおよび対物レンズの形状および大きさ、ならびに対物レンズの変位量などの設計値に基づいて、多分割回折格子１２ｂの格子面を含む仮想一平面において、コリメータレンズ有効領域および対物レンズ有効領域が変位する範囲も予め定めることができる。
【００４０】
図３は、多分割回折格子１２ｂの格子面を含む仮想一平面において、コリメータレンズ有効領域３３内を対物レンズ有効領域３４が変位する範囲と正確に位置決め調整された場合の多分割回折格子１２ｂの格子面とを示す概略図である。
【００４１】
予め定められるコリメータレンズ有効領域３３および対物レンズ有効領域３４が変位する範囲に対しては、図３に示すように、多分割回折格子１２ｂを位置決めされる位置も予め定めることができる。すなわち、多分割回折格子１２ｂの格子溝が延びる方向と対物レンズ有効領域３４が変位する方向、すなわちＸ方向とが一致し、かつ、格子溝の延びる方向に直交する第２領域３１ｂを等分する基準線３６が中立位置の対物レンズ有効領域３４の中心点Ｐを通るように、多分割回折格子１２ｂは位置決めされる必要がある。対物レンズ有効領域３４の中心点Ｐとは、仮想一平面において光軸１８が通過する点に一致する。
【００４２】
このことから、多分割回折格子１２ｂは、Ｘ方向に対しては厳密に位置決めされる必要があるのに対し、Ｙ方向に対しては、対物レンズ有効領域３４が多分割回折格子１２ｂの格子溝パターンが形成される領域内に収まるように位置決めされればよい。また、対物レンズ有効領域３４内を透過する光束は、光ピックアップ装置１ｂの動作状態において光検出器１７に受光されてプッシュプル信号として検出されるので、対物レンズ有効領域３４とマーキング３２とが重畳してプッシュプル信号に影響を与えることを回避する必要がある。
【００４３】
したがって、マーキングは、格子溝の延びる方向に直交する方向に沿って、格子溝パターンが形成される領域の周縁部に複数形成されるのが好ましい。このように複数のマーキングを形成することによって、多分割回折格子１２ｂを精度良く位置決め調整することができる。
【００４４】
図４は、モニタ２２の画像表示面４１に表示される格子溝パターン像４２を示す概略図である。本発明の位置決め調整方法では、半導体レーザ１１から出射した光束のうち、コリメータレンズ１４の有効径内を透過した光束が、ＣＣＤカメラ２１に受光されることによって、多分割回折格子１２ｂの格子溝パターンが撮像され、その撮像画像がモニタ２２の画像表示面４１に表示される。すなわち、画像表示面４１には、前述するように予め定められるコリメータレンズ有効領域３３内における格子溝パターンに対応する格子溝パターン像４２およびマーキング像４３が表示される。
【００４５】
仮想線３５に沿って異なる周縁部にそれぞれ形成される２つのマーキング３２がいずれも画像表示面４１にマーキング像４３として表示されるためには、２つのマーキング間の間隔Ｌ２が、仮想線３５がコリメータレンズ有効領域３３によって切り取られる長さＬ１よりも短くなるように、マーキング３２が形成されなければならない。さらに、対物レンズ有効領域３４とマーキング３２とが重畳しないようにするために、間隔Ｌ２は、対物レンズ有効領域３４のＹ方向の幅Ｌ５よりも長くなるように、マーキング３２が形成されなければならない。
【００４６】
本実施の形態では、図３に示すように、コリメータレンズ有効領域３３の形状は略円形であるので、仮想線３５がコリメータレンズ有効領域３３の中心から遠ざかるにつれて長さＬ１は短くなる。また、これに伴って間隔Ｌ２も短くする必要がある。Ｘ方向に沿ってＬ５が略一定であると考えると、間隔Ｌ２が短くなるにつれてΔＬ（＝Ｌ２−Ｌ５）が小さくなる。このΔＬは、多分割回折格子１ｂのＹ方向の位置決めに対して、許容されるずれ量を表すものであり、ΔＬが小さくなると、Ｙ方向についても厳密に多分割回折格子１２ｂを位置決めする必要が生じる。したがって、ΔＬを最も大きくとってＹ方向の位置決めを容易にするために、マーキング３２を形成するＸ方向の位置、すなわち仮想線３５の位置は、第２領域３１ｂの中央を通るように決定されている。
【００４７】
さらに、仮想線３５上におけるコリメータレンズ有効領域３３を規定する線と中立位置の対物レンズ有効領域３４を規定する線との間隔Ｌ３に対して、仮想線３５方向に沿って延びるマーキング３２の長さＬ４が短くなるように、マーキング３２を形成するのが好ましい。この間隔Ｌ３は、予め定められるコリメータレンズ有効領域３３および対物レンズ有効領域３４が変位する範囲に基づいて予め定めることができる。
【００４８】
マーキング３２の寸法をこのように定めることによって、多分割回折格子１２ｂの位置調整を行うとき、前記仮想一平面において対物レンズ有効領域３４とマーキング３２とが重畳した状態で多分割回折格子１２ｂが配置されていれば、コリメータレンズ有効領域３３の一部の領域が格子溝パターンの形成される領域からはみ出ることになるので、その一部の領域に対応して画像表示面４１に表示される格子溝パターン像４２の形状が変化することになる。したがって、これを画像表示面４１において確認することによって、対物レンズ有効領域３４とマーキング３２が重畳している状態にあることを認識することができる。これにより、対物レンズ有効領域３４とマーキング３２とが重畳することを容易に防止することができる。
【００４９】
このようなマーキングは、本実施の形態では、格子溝パターンが形成される領域において、格子溝を形成しないことによって形成される。このような格子溝は、マーキングが形成される面が、格子溝の凸部の面と同一面であってもよく、格子溝の凹部の面と同一面であってもよい。したがって、マーキングを形成するための新たな工程を必要とせず、効率的にマーキングを形成することができる。さらに、格子溝パターンとマーキングを一工程で形成することができ、精度良くマーキングを形成することができる。
【００５０】
このようなマーキング３２が形成される多分割回折格子１２ｂを、光ピックアップ装置１ｂにおいて位置決め調整する方法について説明する。
【００５１】
多分割回折格子１２ｂの位置決め調整は、図１に示すように、光ピックアップ装置１ｂの一部と位置決め調整装置２を用いて行われる。半導体レーザ１１から光軸１８に沿って出射した光束は、多分割回折格子１２ｂおよびビームスプリッタ１３を透過し、コリメータレンズ１４の有効径内に入射した光束が、略平行光に変換されて、コリメータレンズ１４の直後に光軸１８上に配置されるＣＣＤカメラ２１によって受光される。これによって、多分割回折格子１２ｂの格子溝パターンを撮像することができる。このようにして撮像された格子溝パターンは、モニタ２２の画像表示面４１に格子溝パターン像４２およびマーキング像４３として表示される。
【００５２】
画像表示面４１には、マーキング像４３を一致させるべき基準線４４が示されており、格子溝パターン像４２におけるマーキング像４３と基準線４４とが一致するように、多分割回折格子１２ｂを位置調整することによって、多分割回折格子１２ｂの位置決め調整をすることができる。したがって、調整が容易であり、調整に要する時間を短縮することができるため、光ピックアップ装置の生産効率を向上することができるとともに、精度良く多分割回折格子の位置決め調整をすることができる。
【００５３】
図５は、本発明の他の実施形態の多分割回折格子１２ｃを備える光ピックアップ装置１ｃの構成を簡略化して示す系統図であり、図６は、光ピックアップ装置１ｃに備えられるコリメータレンズ１４ｃの形状を示す概略図である。図７は、本発明の他の実施の形態の多分割回折格子１２ｃの位置決め調整装置２および光ピックアップ装置１ｃの一部の構成を簡略化して示す系統図である。
【００５４】
光ピックアップ装置１ｃは、薄型の光ピックアップ装置であり、半導体レーザ１１から光軸１８に沿って出射される光束が、対物レンズ１５の直前に配置されるミラー１９によって光軸が略９０度傾けられて光記録媒体３に照射される。このような光ピックアップ装置１ｃにおいて、図６に示すような形状を有するコリメータレンズ１４ｃが用いられる場合がある。本発明の位置決め調整方法は、本実施の形態では、コリメータレンズ１４ｃの形状に応じて、多分割回折格子１２ｃのマーキング３２ｃを適切な領域に形成することにより実施することができる。光ピックアップ装置１ｃにおけるその他の構成については、光ピックアップ装置１ｂと同様であるため、重複する説明は省略する。また、位置決め調整のために用いられる位置決め調整装置２についても前述する構成と同様であるため重複する説明は省略する。
【００５５】
図８は、本発明の他の実施の形態の多分割回折格子１２ｃの構成を簡略化して示す概略図である。格子溝パターンについては多分割回折格子１２ｂと同様に構成されるため説明を省略し、多分割回折格子１２ｃに形成されるマーキング３２ｃについて説明する。
【００５６】
多分割回折格子１２ｃには、４つのマーキング３２ｃが形成される。各マーキング３２ｃは、格子溝が延びる方向に直交する方向に延びる仮想線３７ａ，３７ｂに沿って、格子溝パターンが形成される領域の周縁部にそれぞれ形成される。また、仮想線３７ａ，３７ｂの位置は、第２領域３１ｂの中心を通る中心線３８からいずれもＬ６だけ離間した位置に決定されている。
【００５７】
図９は、多分割回折格子１２ｃの格子面を含む仮想一平面において、コリメータレンズ有効領域３３内を対物レンズ有効領域３４が変位する範囲と正確に位置決め調整された場合の多分割回折格子１２ｃの格子面を示す概略図である。
【００５８】
前述するように多分割回折格子１２ｃの格子面を含む仮想一平面において、コリメータレンズ有効領域３３ｃおよび対物レンズ有効領域３４が変位する範囲を予め定めることができる。したがって、図９に示すようなコリメータレンズ有効領域３３ｃと対物レンズ有効領域３４が変位する範囲に基づいて、多分割回折格子１２ｃにおいてマーキング３２ｃを形成すべき位置を決定することができる。本実施の形態では、中立位置の対物レンズ有効領域３４の中心を通る中心線３９からＬ６だけ離間した位置において、コリメータレンズ有効領域３３ｃを規定する線と対物レンズ有効領域３４を規定する線との間隔が大きくなっていることから、その位置に仮想線３７ａ，３７ｂが決定されている。
【００５９】
図１０は、モニタ２２の画像表示面４１に表示される格子溝パターン像４２ｃを示す概略図である。画像表示面４１には、マーキング像４３ｃを一致させるべき基準線４５ａ，４５ｂが示されており、格子溝パターン像４２ｃにおけるマーキング像４３ｃと基準線４５ａ，４５ｂとが一致するように、多分割回折格子１２ｂを調整することによって、多分割回折格子１２ｂの位置決めすることができる。したがって、調整が容易であり、調整に要する時間を短縮することができるため、光ピックアップ装置の生産効率を向上することができるとともに、精度良く多分割回折格子の位置決め調整をすることができる。
【図面の簡単な説明】
【００６０】
【図１】本発明の実施の形態の多分割回折格子１２ｂの位置決め調整装置２および光ピックアップ装置１ｂの一部の構成を簡略化して示す系統図である。
【図２】本発明の実施の形態の多分割回折格子１２ｂの構成を簡略化して示す概略図である。
【図３】本発明の実施の形態の多分割回折格子１２ｂの格子面を含む仮想一平面において、コリメータレンズ有効領域３３内を対物レンズ有効領域３４が変位する範囲と正確に位置決め調整された場合の多分割回折格子１２ｂの格子面を示す概略図である。
【図４】モニタ２２の画像表示面４１に表示される格子溝パターン像４２を示す概略図である。
【図５】本発明の他の実施形態の多分割回折格子１２ｃを備える光ピックアップ装置１ｃの構成を簡略化して示す系統図である。
【図６】光ピックアップ装置１ｃに備えられるコリメータレンズ１４ｃの形状を示す概略図である。
【図７】本発明の他の実施の形態の多分割回折格子１２ｃの位置決め調整装置２および光ピックアップ装置１ｃの一部の構成を簡略化して示す系統図である。
【図８】本発明の他の実施の形態の多分割回折格子１２ｃの構成を簡略化して示す概略図である。
【図９】本発明の他の実施の形態の多分割回折格子１２ｃの格子面を含む仮想一平面において、コリメータレンズ有効領域３３内を対物レンズ有効領域３４が変位する範囲と正確に位置決め調整された場合の多分割回折格子１２ｃの格子面を示す概略図である。
【図１０】モニタ２２の画像表示面４１に表示される格子溝パターン像４２ｃを示す概略図である。
【図１１】ＤＰＰ法を用いる従来の光ピックアップ装置１の構成を簡略化して示す系統図である。
【図１２】従来の光ピックアップ装置１に備えられる多分割回折格子１２ａの構成を簡略化して示す概略図である。
【符号の説明】
【００６１】
１ｂ  光ピックアップ装置
２  位置決め調整装置
１１  半導体レーザ
１２ｂ  多分割回折格子
１４  コリメータレンズ
２１  ＣＣＤカメラ
２２  モニタ
３２  マーキング
【図１】
2009187599.tif 000003
【図２】
2009187599.tif 000004
【図３】
2009187599.tif 000005
【図４】
2009187599.tif 000006
【図５】
2009187599.tif 000007
【図６】
2009187599.tif 000008
【図７】
2009187599.tif 000009
【図８】
2009187599.tif 000010
【図９】
2009187599.tif 000011
【図１０】
2009187599.tif 000012
【図１１】
2009187599.tif 000013
【図１２】
2009187599.tif 000014